(57)【特許請求の範囲】
【請求項１】
鉢本体（１）の底部（３）に、鉢本体（１）の内部より外部に連通する貫通口（４）を設けるとともに、鉢周壁（２）の下端部には凹溝（５）を設け、該凹溝（５）に給水マット（６）の外周部とリング（７）とを挿入し、リング（７）にて給水マット（６）を着脱可能に止着することを特徴とする給水機能付き植木鉢。
【請求項２】
鉢本体（１）を発泡合成樹脂粒（９）より形成し、透水性と通気性を有する微小空隙（ａ）を無数に設けた請求項１記載の給水機能付き植木鉢。
【発明の詳細な説明】
【０００１】
【発明の属する技術分野】
この発明は、植物を身近で栽培する際に使用する給水機能付き植木鉢に関するものである。
【０００２】
【従来の技術】
草花木や野菜（以下、植物と総称する）の栽培に用いる植木鉢として、粘土より形成した素焼製の和風植木鉢、白色セメントより形成した洋風植木鉢、或いは合成樹脂より形成した植木鉢等が知られている。これらの植木鉢は何時でも望みの場所に移動し得ること、手軽に栽培したり観賞し得ること等から、家庭は勿論、会社や公共施設等にも広く用いられている。（例えば実開昭51-138544 号公報、実開昭53-3849 号公報、実開昭55-51149号公報、実開昭62-119758 号公報）
【０００３】
【発明が解決しようとする課題】
植木鉢によって植物を栽培するには、毎日欠かさず漏斗で給水する必要があるが、漏斗を用いて多数の植木鉢に給水していたのでは、その作業が煩雑になる問題点があった。また植木鉢を皿上に載置し、皿に水を入れ、植木鉢の底壁中央部に穿設されている、過剰な水分による植物の根腐れ防止用の排水孔を利用して、排水孔から植木鉢内に水を吸い上げ得るようにすることもあるが、鉢底の排水孔が直径１〜２cm程度であるため、十分に水を吸い上げ得ない問題点があった。
【０００４】
家庭において何日間も留守にする場合、或いは会社や公共施設における休日等には、植木鉢に給水することができず、培養土が乾燥し（特に夏季において）、せっかくの植物が枯れてしまうという問題点もあった。そこでこの本発明は、従来技術の有するこのような問題点に鑑みてなされたものであり、その目的とするところは、人手を要することなく効率的に給水ができて、しかも植物を根腐れなく順調に栽培させることのできる給水機能付き植木鉢を提供することにある。
【０００５】
【課題を解決するための手段】
上記目的を達成するために、本発明の給水機能付き植木鉢は、鉢本体の底部に内部より外部に連通する貫通口を設け、底部の外側に給水マットを着脱可能に取付けるもので、給水マットの取付け手段として、鉢周壁の下端部に凹溝を設け、該凹溝に給水マットの外周部とリングを挿入し、リングにて給水マットを着脱可能に止着するものである。
【０００６】
鉢本体の内部より外部に貫通口が連通していて、その底部外側に給水マットを取付けるものであるから、鉢本体の底を、水分を含む給水材上に載置すれば、給水マットから鉢本体内部に入れた培養土に水を自然に給水することができる。鉢本体を発泡合成樹脂粒より形成し、鉢本体に透水性と通気性を有する微小空隙を無数に設ければ、一段と植物の栽培に好都合である。
【０００７】
【発明の実施の形態】
次に本発明による給水機能付き植木鉢の実施形態を図１乃至図８に基づき説明すれば、植木鉢は鉢本体１の底部５に、鉢本体１の内部より外部に連通する貫通口４を設け、底部５の外側に給水マット６を着脱可能に取付けるもので、給水マット６の取付け手段として、鉢周壁２の下端部に凹溝５を設け、該凹溝５に給水マット６の外周部とリング７を挿入し、給水マット６を着脱可能に止着するか、給水マット６の外側より鉢本体１の下部外周にマット保持体２０を嵌合係止し、給水マット６を着脱可能に止着するものである。
【０００８】
【実施例】
鉢本体１は上向きに広口となる周壁２の上部に、周壁２より一回り大きい鍔部１２を設け、鉢本体１の底部３に、図１の如く鉢本体１の内部より外部に連通する貫通口４を広く設けるか、図３と図９の如く鉢本体１の底部３に、中心部より放射方向に延長する支持壁１６を設け、該支持壁１６の間に貫通口４を形成し、且つ図２と図６の如く周壁２の下端部外周に段状部１５を設けるか、図４と図８の如く周壁２の下端部に凹溝５を環状に形成するもので、鉢本体１が例えば楕円形や四角形、方形、台形、多角、或いは三角形等を成するものである。
【０００９】
鉢本体１は発泡合成樹脂の、例えば発泡ポリスチレン等にて形成するか、汎用プラスチックの、例えばポリプロピレン、ポリエチレン、ポリスチレン、ＡＢＳ等にて形成するもので、発泡合成樹脂にて形成する鉢本体１にあっては、先ず発泡合成樹脂を予備発泡し、発泡合成樹脂粒９を形成した後、該発泡合成樹脂粒９を鉢本体１の成形金型に入れ、高温蒸気で熱を加え、発泡合成樹脂粒９を膨脹せしめ、その膨脹によって発泡合成樹脂粒９が相互に密着し、無数の微小空隙ａを有する状態で一体化するものである。
【００１０】
汎用化性プラスチックにて形成する鉢本体１にあっては、図６と図１１の如く周壁２の底部３に底壁１３を設け、該底壁１３に貫通口４を複数形成するか、図８の如く底壁１３に貫通口４を形成すると共に、底壁１３の中心部に筒部１４を設け、該筒部１４に給水マット６の外側よりピン８を挿入係止し、給水マット６を止めるものである。底部３に設ける底壁１３は、中心部に輪状部１ａを、該輪状部１ａより放射方向に桟部１ｂを延長するか、或いは筒部１４と、該筒部１４を中心とする輪状部１ａ、及び筒部１４より放射方向に延長する桟部１ｂから形成する。
【００１１】
給水マット６は、吸水性と耐久性に優れ、且つ毛細管現象を有する、例えばナイロン系の不織布や綿布等より形成するもので、吸水力４０〜６０％の範囲で少なくとも２〜３種類に形成しておき、その中から栽培植物に応じて給水マット６を選択して取付けるものである。リング７の断面形状は上向きに楔状を成すもので、リング７によって給水マット６の外周部を鉢本体１の凹溝５に直接押込み、着脱可能に係止するか、給水マット６の外周部を鉢本体１の凹溝５に挿入した後、その凹溝５にリング７を挿入し、着脱可能に係止するものである。
【００１２】
マット保持体２０は給水マット６の外側に当接する目皿壁２１の外周に、鉢本体１の下部に嵌合する囲壁２２を設け、囲壁２２の先端に本体周壁２の段状部１５に係止する係止部２３を有するもので、図１４の如く囲壁２２に切込み２４を適宜間隔で設ければ、囲壁２２を内外に向けて弾力的にすることが可能である。保持体２０の目皿壁２１は、図１３の如く中心部に設ける輪状部１ａと、該輪状部１ａより放射方向に延長する桟部１ｂから形成する。
【００１３】
周壁２の底部３に支持壁１６を設けた鉢本体１、或いは周壁２の底部３に底壁１３を設けた鉢本体１にあっては、支持壁１６や底壁１３に給水マット６を着接することも可能である。汎用化性プラスチックにて形成する鉢本体１にあっては、図１２の如く周壁２の底部３より内周に向けて支持片１７を適宜間隔で突出し、同じ植木鉢を積重ねた際、支持片１７によって植木鉢の挿入を制限することも可能である。
【００１４】
ピン８は図１５の如く、頭部８ａより垂下する脚部８ｂの先に、脚部８ｂより少し大きい楔部８ｃを形成するもので、脚部８ｂから楔部８ｃまでに切込み１８を設け、二分割にすることが望ましい。リング７とピン８、及びマット保持体２０は、鉢本体１と同種類の汎用化性プラスチックにて形成する。
【００１５】
本発明による給水機能付き植木鉢は上記構造であるから、予め鉢本体１とマット保持体２０、及びリング７等を個々に形成し、鉢本体１の底部３の外側に給水マット６を重ね、該給水マット６の外周部をリング７にて底部３の凹溝５に挿入し、給水マット６を着脱可能に取付けるか、底部３に重ねた給水マット６の外側より鉢本体１の下部に保持体２０を嵌合し、給水マット６を着脱可能に取付けておくものであるが、給水マット６を鉢木鉢の流通過程で取付けることも可能であるし、購入者において取付けることも可能である。
【００１６】
本発明の植木鉢は、底部３に大きな貫通口４を形成するが、該貫通口４は底部３の外側に取付ける給水マット６によって閉鎖され、しかも給水マット６を目皿状のマット保持体２０にて支持するか、鉢本体１の底部３に設けた支持壁１６にて支持するものであるから、従来通り鉢本体１の内部に培養土を入れ、培養土に植物を植込むことができるし、培養土に肥料を追肥したり、植物に漏斗で給水したりすることもできる。
【００１７】
【発明の効果】
本発明による給水機能付き植木鉢は上記構造のとおりであるから、次に記載する効果を奏する。鉢本体の底部に、内部より外部に連通する貫通口を形成し、その底部外側に給水マットを取付けるものであるから、鉢本体の底を、水分を含む給水材上に載置しておけば、給水マットの毛細管現象によって、鉢本体に入れた培養土に、迅速且つ確実に給水される。その結果、毎日人手によって給水しなくても良好に栽培することができる。
【００１８】
給水マットは毛細管現象によって吸水し得るので、長期間に渡って培養土を常に適度に湿った状態に保つことができる。その結果、給水の手間が省け、しかも植物を良好に育成することができるので、毎日の世話が困難な会社や公共施設、公園に設置する植木鉢、或いは家庭菜園用植木鉢として最適である。特に家庭において何日間も留守にする場合、或いは会社や公共施設における休日等には、有益な効果を発揮するものである。
【００１９】
鉢本体の底に給水マットを着脱可能に止着するものであるから、栽培植物に応じた吸水力の給水マットに交換し、最適な状態で栽培し得る。しかも植木鉢の底面より給水するものであるから、水耕栽培によって育てた植物苗を植木鉢に移植し、植木鉢で栽培にする場合に最適である。また汎用化性プラスチックより形成した植木鉢にあっては、壁厚を薄肉に形成し得るので、多数の空植木鉢を深く嵌合して保管したり輸送し得る。
【００２０】
特に発泡合成樹脂粒より形成した植木鉢にあっては、内外に通じる微小空隙を無数に生じるので、一段と植物の栽培に好都合である。即ち、微小空隙の毛細管現象によって植木鉢から培養土へ水分が直接給水されるので、人手を要することなく培養土に過不足のない給水を行なうことができると共に、微小空隙を通して植木鉢内の培養土に外気が流通するので、植物の根腐れを防止して健全な生育を維持することができる。
【図面の簡単な説明】
【図１】  本発明による給水機能付き植木鉢の構造例を示す一部切欠正面図である。
【図２】  給水マットの保持構造例を示す分解断面図である。
【図３】  リングによる給水マットの保持構造例を示す一部切欠正面図である。
【図４】  その要部分解断面図である。
【図５】  保持体による給水マットの保持構造例を示す一部切欠正面である。
【図６】  その要部分解断面図である。
【図７】  ピンとリングによる給水マットの保持構造例を示す一部切欠正面図である。
【図８】  その要部分解断面図である。
【図９】  鉢本体の横断面図である。
【図１０】  本発明による植木鉢の積重ね状態を示す一部切欠正面図である。
【図１１】  底壁の形状例を示す鉢本体の横断面図である。
【図１２】（Ａ）（Ｂ）  支持片を設けた鉢本体の要部断面図である。
【図１３】  マット保持体の構造例を示す底面図である。
【図１４】  マット保持体の断面図である。
【図１５】  ピンの構造例を示す正面図である。
【符号の説明】
１  鉢本体
２  周壁
３  底部
４  貫通口
５  凹溝
６  給水マット
７  リング
８  ピン
９  発泡合成樹脂粒
１２  鍔部、１３  底壁、１４  筒部、１５  段状部
１６  支持壁、１７  支持片
２０  マット保持体、２１  目皿壁、２２  囲壁、２３  係止部
ａ  微小空隙
【図１】
0003660417.tif 000002
【図２】
0003660417.tif 000003
【図３】
0003660417.tif 000004
【図４】
0003660417.tif 000005
【図５】
0003660417.tif 000006
【図６】
0003660417.tif 000007
【図７】
0003660417.tif 000008
【図８】
0003660417.tif 000009
【図９】
0003660417.tif 000010
【図１０】
0003660417.tif 000011
【図１１】
0003660417.tif 000012
【図１２】
0003660417.tif 000013
【図１３】
0003660417.tif 000014
【図１４】
0003660417.tif 000015
【図１５】
0003660417.tif 000016